(57)【要約】【課題】  操作手段の交換作業を容易にし、遊技者の不正行為を防止する。【解決手段】  本発明は、遊技者が操作可能な操作手段２１を有し、操作手段２１の操作により遊技を所望に制御可能な弾球遊技機であって、操作手段２１は、ケース本体４２と、ケース本体４２の表面側に露出するように設けられた操作部４３，４４と、ケース本体４２の裏面側に設けられた制御基板４５，４６とを備えてユニット化され、弾球遊技機の前面側から着脱可能なように構成されていることを特徴とする。【選択図】  図６
2006187434.tif 000002
【特許請求の範囲】
【請求項１】
遊技者が操作可能な操作手段を有し、該操作手段の操作により遊技を所望に制御可能な弾球遊技機であって、
前記操作手段は、ケース本体と、該ケース本体の表面側に露出するように設けられた操作部と、前記ケース本体の裏面側に設けられた制御基板とを備えてユニット化され、弾球遊技機の前面側から着脱可能なように構成されていることを特徴とする弾球遊技機。
【請求項２】
前記操作手段は球皿に対して着脱可能に設けられ、前記ケース本体の周囲には、該ケース本体と前記球皿との間の隙間から弾球遊技機内部への異物の侵入を防止するための異物侵入防止部が形成されている請求項１に記載の弾球遊技機。
【発明の詳細な説明】
【技術分野】
【０００１】
本発明は、パチンコ遊技機に代表される弾球遊技機に関し、特に、遊技者が操作可能な操作手段を備えており、該操作手段の操作により遊技を所望に制御可能な弾球遊技機に関する。
【背景技術】
【０００２】
近年、パチンコ遊技機においては、遊技盤の前面に形成された遊技領域に遊技球を発射させる発射ハンドルに加えて、遊技者が操作可能な演出ボタンなどの操作手段を装備した機種が開発されている。この種のパチンコ遊技機では、遊技者に所定のタイミングでその操作手段を押させることにより、遊技への参加による達成感や満足感を遊技者に付与し、遊技性の向上を図ることができる。（例えば、特許文献１参照）。
【特許文献１】特開２００４−１１３３５９号公報
【発明の開示】
【発明が解決しようとする課題】
【０００３】
しかしながら、上記した従来の操作手段を装備した弾球遊技機においては、その製造、組立て時に、演出ボタンやその制御基板などを、弾球遊技機の他の構成部品と共に、順次、取り付けていくようになっているため、弾球遊技機を組立てた後に演出ボタンやその制御基板などを交換する場合には、その周辺の部材をその都度、取り外す必要があった。したがって、演出ボタンなど操作手段の交換作業に手間が掛かるといった問題があった。
【０００４】
また、操作手段の周囲にはその取付部位との間に隙間が生じるため、その隙間から弾球遊技機内部に針金等の異物を侵入させて不正に出球を獲得しようとする遊技者が出現するおそれもあった。
【０００５】
本発明は、上記した課題を解決すべくなされたものであり、操作手段の交換作業を容易にし、遊技者の不正行為を防止することのできる弾球遊技機を提供しようとするものである。
【課題を解決するための手段】
【０００６】
本発明は、遊技者が操作可能な操作手段２１を有し、操作手段２１の操作により遊技を所望に制御可能な弾球遊技機であって、操作手段２１は、ケース本体４２と、ケース本体４２の表面側に露出するように設けられた操作部４３，４４と、ケース本体４２の裏面側に設けられた制御基板４５，４６とを備えてユニット化され、弾球遊技機の前面側から着脱可能なように構成されていることを特徴とする。
【０００７】
そして、好ましくは、操作手段２１は球皿１６に対して着脱可能に設けられ、ケース本体４２の周囲には、ケース本体４２と球皿１６との間の隙間から弾球遊技機内部への異物の侵入を防止するための異物侵入防止部３８，３９が形成されているのがよい。
【発明の効果】
【０００８】
本発明によれば、操作手段がユニット化されており、操作手段の着脱作業は、弾球遊技機の前面側から、操作手段の周辺の部材を取り外すことなく行うことができるため、操作部や制御基板等の交換作業を容易に行うことができる。
【０００９】
また、ケース本体の周囲に異物侵入防止部が形成されている場合には、ケース本体と球皿との間の隙間から弾球遊技機内部への異物の侵入を防止することができるため、弾球遊技機内部に針金等の異物を侵入させて不正に出球を獲得しようとする遊技者の出現を防止することができる等、種々の優れた効果を得ることができる。
【発明を実施するための最良の形態】
【００１０】
以下、図面を参照しつつ、本発明の実施の形態について説明する。なお、以下の説明では、本発明をパチンコ遊技機に適用した場合について例示して説明する。
【００１１】
先ず、主に図１及び図２を参照しつつ、本実施の形態に係るパチンコ遊技機の構成について説明する。ここで、図１は本実施の形態に係るパチンコ遊技機を示す正面図、図２はその背面図である。
【００１２】
このパチンコ遊技機は、外郭方形枠サイズに形成されて縦向きの固定保持枠を成す外枠１の開口前面に、外枠１に合わせて方形枠サイズに形成された開閉搭載用の前枠２が、外枠１の正面左側上下に取り付けられたヒンジ金具３ａ，３ｂによって外枠２に対して開閉可能に取り付けられていると共に、外枠１の正面右側に設けられた施錠装置４により閉鎖状態に保持されるようになっている。
【００１３】
前枠２の上部領域には、遊技盤５が収容されており、遊技盤５は、所定板厚の積層合板の表面にセルを貼り付けてルーター加工した化粧版を基板とし、その前面側には、環状に取り付けられたガイドレール６に囲まれて、略円形状の遊技領域７が形成されている。遊技領域７には、その略中央部に画像表示装置８の表示部９が配置されており、画像表示装置８の表示部９の周りには、センター飾り１０、及び始動入賞口１１や大入賞口１２等の入賞装置等がそれぞれ配設されている。また、遊技領域７の下端部には、アウト口１３が配設されており、始動入賞口１１や大入賞口１２等の入賞装置に入賞せずに落下したアウト球を遊技盤５の背面側から機外に排出できるようになっている。
【００１４】
前枠２の前面上部側には、遊技盤５を視認可能なように透明なガラス板１４を備えたガラス扉１５が横向き開閉可能且つ着脱可能に取り付けられ、このガラス扉１５は、常には施錠装置４により遊技盤５の前面を覆うように閉鎖状態に保持されている。また、前枠２の前面下部側であって、ガラス扉１５の下方には、球皿１６が横向き開閉可能且つ着脱可能に取り付けられ、球皿１６は、常には施錠装置（図示せず）により閉鎖状態に保持されている。
【００１５】
この球皿１６には、前面側に膨出して球貯留部１７が形成されており、遊技中に払い出される遊技球をこの球貯留部１７に貯留可能となっている。そして、球貯留部１７の正面右側下部には、発射ハンドル１８が前方に突出して取り付けられており、発射ハンドル１８を回転操作することにより、球貯留部１７から供給された遊技球が遊技領域７に発射されるようになっている。また、球貯留部１７の正面左側下部には、操作手段収容部１９及び灰皿収容部２０（図３及び図４参照）が隣接して形成されており、操作手段収容部１９及び灰皿収容部２０にはそれぞれ操作手段２１及び灰皿２２が着脱可能となっている。なお、この操作手段収容部１９及び操作手段２１の詳細な構成については後述する。
【００１６】
一方、前枠２の背面側には、裏セット盤２３が複数（図２では５個）のレバー２４により着脱可能に設けられており、この裏セット盤２３には、予備賞球を貯留する球貯留タンク２５、遊技球を整列状態で待機させる待機通路２６、遊技盤５での入賞状態等に基づき賞球を払い出す球払出装置２７、球払出装置２７から払い出された賞球を球皿１６に排出するための球払出通路２８等の賞球装置が装備されている。
【００１７】
さらに、裏セット盤２３には、パチンコ遊技機の動作を統括的に制御する主制御装置２９、画像表示装置８の裏側に位置して画像表示、効果音等の演出、効果ランプ等の表示制御を行うサブ制御装置３０、球払出装置２７を制御する払出制御装置３１、打球の発射強度や発射タイミングを制御する発射用制御装置３２等の各制御手段、及びこれらの各制御手段及び電子部品に電力を供給する電源装置３３等がそれぞれ配設されている。
【００１８】
次に、主に図３及び図４を参照しつつ、球皿１６の操作手段収容部１９について説明する。ここで、図３は操作手段収容部１９を示す正面図、図４はその平面図である。
【００１９】
この操作手段収容部１９は、前方に下傾した操作手段設置面３６に形成されており、操作手段設置面３６には凹部３７が形成されている。そして、凹部３７の周囲には、灰皿収容凹部２０との境界及び操作手段設置面３６の前端部に沿ってそれぞれ嵌合突部３８，３９が立設されていると共に、嵌合突部３８，３９に対向する位置に横長スリット状の係止孔４０が形成されている。また、凹部３７の底部には固定具挿通孔４１が形成されている。
【００２０】
次に、主に図５及び図６を参照しつつ、操作手段２１について説明する。ここで、図５は操作手段２１を示す平面図、図６はその分解斜視図である。
【００２１】
この操作手段２１は、ケース本体４２と、ケース本体４２の表面側に露出するように互いに隣接して設けられた十字キー４３及び演出ボタン４４と、ケース本体４２の裏面側において十字キー４３及び演出ボタン４４に対応する位置にそれぞれ設けられた十字キー用制御基板４５及び演出ボタン用制御基板４６と、ケース本体４２の裏面を覆うように十字キー４３及び演出ボタン４４に対応する位置にそれぞれ設けられた十字キー用蓋部材４７及び演出ボタン用蓋部材４８とを主体に構成されており、これらの部品４３，４４，４５，４６，４７，４８がケース本体４２に固定されることにより操作手段２１がユニット化されるようになっている。
【００２２】
ケース本体４２の下端には操作手段収容部１９の嵌合突部３８，３９に対応する位置に嵌合溝（図示せず）が形成されていると共に係止孔４０に対応する位置に係止突部４９が外側に延出するように形成されている。また、十字キー４３には、４個の操作ボタン５０が円形状に配設されており、さらに、十字キー用制御基板４５及び演出ボタン用制御基板４６には先端にコネクタを備えたケーブル（図示せず）が接続されている。
【００２３】
次に、操作手段２１を操作手段収容部１９に着脱する手順について説明する。
【００２４】
先ず、十字キー４３、演出ボタン４４、十字キー用制御基板４５、演出ボタン用制御基板４６、十字キー用蓋部材４７、演出ボタン用蓋部材４８をケース本体４２に固定し、操作手段２１をユニット化させる。次いで、十字キー用制御基板４５及び演出ボタン用制御基板４６の各コネクタを所要箇所に接続し、ケース本体の係止突部４９を操作手段収容部１９の係止孔４０に挿入すると共に、ケース本体４２の前記嵌合溝を各嵌合突部３８，３９に嵌合し、操作手段２１を操作手段収容部１９に仮止めする。そして、下方から固定部挿通孔４１にネジ等の固定部を螺挿し、操作手段２１を操作手段収容部１９に固定させる。
【００２５】
一方、操作手段２１を操作手段収容部１９から取り外す場合には、上記した手順と反対の手順で行う。
【００２６】
このように、操作手段２１がユニット化されており、操作手段２１の着脱作業は、パチンコ遊技機の前面側から球皿１６の前面パネル等、操作手段２１の周辺の部材を取り外すことなく行うことができるため、十字キー用制御基板４５や演出ボタン用制御基板４６等の交換作業を容易に行うことができる。また、嵌合突部３８，３９が前記嵌合溝に嵌合することにより異物侵入防止部が形成され、これにより、パチンコ遊技機の前面側から内部への異物の侵入を防止することができる、したがって、操作手段２１と操作手段収容部１９との間の隙間からパチンコ遊技機内部に針金等の異物を侵入させて不正に出球を獲得しようとする遊技者の出現を防止することができる。
【００２７】
次に、本発明の実施の形態に係るパチンコ遊技機の動作の概略について説明する。
【００２８】
遊技者によって遊技領域７内に打ち出された遊技球が、始動入賞口１１に入賞すると、画像表示装置８の表示部９において、所定時間、図柄の変動表示が行なわれた後、サブ制御装置３０がリーチの図柄になると判断した場合には、十字キー４３を操作可能な状態にする有効化処理が行なわれ、これにより、遊技者は十字キー４３の操作ボタン５０を所定のタイミングで押圧操作することにより所望のリーチを選択することができるようになる。そして、遊技者が所定のタイミングで十字キー４３の操作ボタン５０を押圧操作した場合には、遊技者の所望するリーチが選択され、その選択されたリーチ処理が行われる。一方、所定のタイミングで操作ボタン５０の押圧操作が行なわれなかった場合には、通常のリーチ処理が行われる。
【００２９】
次いで、主制御装置２９は、大当りになると判定した場合には、その図柄を決定し、サブ制御装置３０は、画像表示装置８を制御し、所要の図柄変動表示を行なった後に所定の図柄を表示部９に停止表示させる。また、この間、画像表示装置８の表示部９に演出ボタン４４の押圧操作の指示が表示され、その指示に従って遊技者が演出ボタン４４を押圧操作すると、サブ制御装置３０は表示部９に所定の演出を表示させ、遊技者に大当り時の満足感及び達成感を付与する。
【００３０】
そして、このような過程を経て、特別遊技（大当り遊技）に突入すると、大入賞口１２が開放され、大入賞口１２に遊技球が入賞した場合には所定数の賞球が遊技者に払い出され、その後、所定の条件下で、特別遊技は終了する。
【００３１】
なお、上記した実施の形態では、操作手段２１に操作部として十字キー４３と演出ボタン４４が設けられているが、これは単なる例示に過ぎず、いずれか一方のみを設ける等、各種変更が可能である。
【００３２】
また、操作手段２１の設置位置は、上記した位置に限定されるものではなく、例えば、球皿１６の中央部等、他の位置であってもよい。
【００３３】
さらに、操作手段２１の取付構造は上記した構造に限定されるものではなく、例えば、嵌合突部３８，３９及び係止孔４０をケース本体４２側に設け、嵌合突部３８，３９が嵌合可能な前記係合溝及び係止孔に係合可能な係止突部４９を操作手段収容部１９側に設ける等、各種変更が可能である。
【００３４】
さらにまた、本発明は、上記したパチンコ遊技機にのみ適用されるものではなく、パチンコ遊技機以外の弾球遊技機にも適用可能であることは言う迄もない。
【図面の簡単な説明】
【００３５】
【図１】本発明の実施の形態に係るパチンコ遊技機を示す正面図である。
【図２】本発明の実施の形態に係るパチンコ遊技機を示す背面図である。
【図３】本発明の実施の形態に係るパチンコ遊技機の操作手段収容部を示す正面図である。
【図４】本発明の実施の形態に係るパチンコ遊技機の操作手段収容部を示す平面図である。
【図５】本発明の実施の形態に係るパチンコ遊技機の操作手段を示す平面図である。
【図６】本発明の実施の形態に係るパチンコ遊技機の操作手段を示す分解斜視図である。
【符号の説明】
【００３６】
１６          球皿
２１          操作手段
３８          嵌合突部
３９          嵌合突部
４２          ケース本体
４３          十字キー
４４          演出ボタン
４５          十字キー用制御基板
４６          演出ボタン用制御基板
【図１】
2006187434.tif 000003
【図２】
2006187434.tif 000004
【図３】
2006187434.tif 000005
【図４】
2006187434.tif 000006
【図５】
2006187434.tif 000007
【図６】
2006187434.tif 000008